(57)【要約】【課題】  吹き出しの表示を簡単に中止できる表示装置を提供する。【解決手段】  タッチパネル５の画面５ａに表示された機能キー８にタッチしたときは、この機能キー８の入力により実行される動作についてのガイドメッセージ９を有する吹き出し１０を機能キー８の近傍に表示する表示手段と、機能キー８のタッチを続けていないときは吹き出し１０の表示を中止し、画面５ａの機能キー８以外の部分をタッチしていないときは機能キー８を入力する入力手段と、を備えた。【選択図】      図５ 
2005258756.tif 000002
【特許請求の範囲】
【請求項１】
タッチパネルの画面に表示された機能キーにタッチしたときは、この機能キーの入力により実行される動作についてのガイドメッセージを有する吹き出しを前記機能キーの近傍に表示する表示手段と、
前記機能キーのタッチを続けていないときは前記吹き出しの表示を中止し、前記画面の前記機能キー以外の部分をタッチしていないときは前記機能キーを入力する入力手段と、
を備えたことを特徴とする表示装置。
【請求項２】
前記表示手段は、記憶手段にそれぞれ記憶された前記機能キーの座標位置情報及び吹き出し表示ルールに基づいて前記吹き出しの座標位置情報を算出し、この算出された座標位置情報に基づいて前記吹き出しを表示する手段である請求項１記載の表示装置。
【請求項３】
前記表示手段は、前記吹き出しを表示する際に、記憶手段に前記機能キーと対応付けて記憶されたガイドメッセージを前記吹き出しに追加する手段である請求項１又は２記載の表示装置。
【発明の詳細な説明】
【技術分野】
【０００１】
本発明は、タッチパネルの画面に表示された機能キーの近傍にガイドメッセージを有する吹き出しを表示する表示装置に関するものである。
【背景技術】
【０００２】
従来のこの種の技術としては、操作者が入力装置で選択した項目、アイコン、又はボタンの解説文のデータを記憶装置から読み出して前記解説文を表示させる表示指示を表示装置に行う手段を備え、前記解説文の表示を吹き出しのようにし、その先端を前記項目、アイコン、又はボタンの近傍に位置させたことを特徴とするコンピュータを用いた学習システム等が知られている（例えば、特許文献１参照。）。
【特許文献１】特開平１０−２０７３３０公報（第２−４頁，図３等）
【発明の開示】
【発明が解決しようとする課題】
【０００３】
しかしながら、上記のような学習システムにおいては、吹き出しの表示を中止するためには表示装置に表示された「戻る」ボタンを入力装置のクリックで選択する必要があるので、手間がかかるという問題点がある。
【０００４】
本発明は、以上のような問題点に鑑みてなされたものであり、吹き出しの表示を簡単に中止できる表示装置を提供することを目的とする。
【課題を解決するための手段】
【０００５】
上記目的を達成するための請求項１の発明は、タッチパネルの画面に表示された機能キーにタッチしたときは、この機能キーの入力により実行される動作についてのガイドメッセージを有する吹き出しを前記機能キーの近傍に表示する表示手段と、前記機能キーのタッチを続けていないときは前記吹き出しの表示を中止し、前記画面の前記機能キー以外の部分をタッチしていないときは前記機能キーを入力する入力手段と、を備えたものである。
【０００６】
請求項２の発明においては、前記表示手段は、記憶手段にそれぞれ記憶された前記機能キーの座標位置情報及び吹き出し表示ルールに基づいて前記吹き出しの座標位置情報を算出し、この算出された座標位置情報に基づいて前記吹き出しを表示する手段である。
【０００７】
請求項３の発明においては、前記表示手段は、前記吹き出しを表示する際に、記憶手段に前記機能キーと対応付けて記憶されたガイドメッセージを前記吹き出しに追加する手段である。
【発明の効果】
【０００８】
請求項１の発明によれば、機能キーのタッチを止めるだけで吹き出しの表示が中止されるので、吹き出しの表示の中止に手間がかからない。また、タッチした機能キーの部分で画面から指等を離せばその機能キーを入力できるので、機能キーの入力にも手間がかからない。
【０００９】
請求項２の発明によれば、吹き出し表示ルールを書き換えるだけで簡単に吹き出しの表示位置やサイズ等を変更することができる。
【００１０】
請求項３の発明によれば、機能キーに対してガイドメッセージが対応付けられたガイドメッセージテーブルを書き換えるだけで簡単にガイドメッセージを変更することができる。
【発明を実施するための最良の形態】
【００１１】
以下、本発明の実施形態を図面に基づいて説明する。
実施形態に係る表示装置１は、図１に示すように、ＣＰＵ（Central Processing Unit，中央処理装置）２、ＲＯＭ（Read Only Memory，読み出し専用メモリ）３、ＲＡＭ（Random Access Memory，随時書き込み読み出しメモリ）４、タッチパネル５等を備えており、各部２〜５等はバス６を介して互いに通信可能に接続されている。
【００１２】
このような表示装置１としては、コピー機能、ＦＡＸ通信機能、ＰＣ−ＦＡＸ通信機能（パーソナルコンピュータ等のクライアント端末からのネットワークを介したダイレクトＦＡＸ通信機能）、インターネットＦＡＸ通信機能〔インターネットを利用したＦＡＸ通信機能，ＴＩＦＦ（Tagged Image File Format）形式又はＰＤＦ（Portable Document Format）形式等に変換した画データを電子メールに添付して通信する機能〕、ネットワークプリンタ機能（クライアント端末からのネットワークを介したダイレクト印刷機能）、及びネットワークスキャナ機能（クライアント端末へのネットワークを介したダイレクトスキャン機能）等を有するデジタル複合機等が挙げられる。
【００１３】
ＲＯＭ３は、ＣＰＵ２により各部３〜５等の動作を制御するための各種制御プログラム、図２のようなガイドメッセージテーブル７、図３及び図４のような機能キー８の座標位置情報、後述する吹き出し表示ルール等を記憶した記憶部として機能する。
【００１４】
ガイドメッセージテーブル７は、図２に示すように、機能キー８に対し、この機能キー８の入力により実行される動作についてのガイドメッセージ９を対応付けたものである。機能キー８としては、「リダイヤル」の他、「応用機能」等が挙げられる。「リダイヤル」に対応するガイドメッセージ９としては、「送信した最後の相手にダイヤルします。リダイヤルするときは、ここで指を離して下さい。」等が挙げられる。「応用機能」に対応するガイドメッセージ９としては、「応用機能の一覧を表示します。応用機能を使用するときは、ここで指を離して下さい。」等が挙げられる。ガイドメッセージ９には、文字列（英字、ひらがな、カタカナ、漢字、数字、記号、絵文字、空白等を含む。）の他、改行等が含まれていてもよい。
【００１５】
機能キー８の座標位置情報としては、図３及び図４に示すように、タッチパネル５の画面５ａの例えば左上に位置する基点Ｏの座標位置（０，０）を基準（各画素を１単位，基点Ｏから右横方向をＸ＞０，基点Ｏから下方向をＹ＞０）とした機能キー８の左上点ＫＡの座標位置（Ｘ1，Ｙ1）、右下点ＫＢの座標位置（Ｘ2，Ｙ2）、右上点ＫＣの座標位置（Ｘ2，Ｙ1）、左下点ＫＤの座標位置（Ｘ1，Ｙ2）等が挙げられる。機能キー８は、上記の座標位置情報に基づいてタッチパネル５の画面５ａに表示される。この機能キー８は、例えば、四角形状の枠部８ａと、この枠部８ａ内に追加された「リダイヤル」等の機能キー名８ｂとを備えたアイコンで構成することができる。なお、画面５ａの画素数は特に限定されるものではないが、例えば３２０ドット（Ｘ方向）×２４０ドット（Ｙ方向）＝７６８００ドット等とすることができる。また、機能キー８の構成も特に限定されるものではなく、適宜変更可能である。
【００１６】
ＣＰＵ２は、ＲＯＭ３からＲＡＭ４上に読み出した制御プログラム等に従って各部３〜５等の動作を制御する制御部として機能する。ＲＡＭ４は、ＣＰＵ２によりＲＯＭ３から読み出される制御プログラムや各種のデータ等を一時的に記憶する主記憶部として機能する。
【００１７】
タッチパネル５は、ＬＣＤ（Liquid Crystal Display，液晶ディスプレイ）等のディスプレイの画面５ａ全体をカバーするように物体検出センサを取り付けたものであり、画面５ａをオペレータの指等でタッチする（触れる）ことによって画面５ａのどこを指し示したかを検出できるようになっている。検出方法としては、透明電極を用いた圧力検出型、赤外線センサを用いた光学式非接触型等が挙げられる。表示装置１に対するオペレータによる各種操作は、タッチパネル５や、ハードキーを有する操作部（図示せず）を通じて行われる。
【００１８】
次に、吹き出しの表示処理の手順例を図５に示すフローチャートに基づいて説明する。なお、この処理は、ＲＯＭ３からＲＡＭ４上に読み出された制御プログラム等に基づいてＣＰＵ２が発行する命令に従って行われる。
【００１９】
この処理において、図３のようにタッチパネル５の画面５ａに表示された機能キー８をオペレータの指等でタッチすれば（ステップＳ１でＹＥＳ）、ＲＯＭ３に記憶された機能キー８の座標位置情報及び吹き出し表示ルールに基づいて表示すべき図４のような吹き出し１０の座標位置情報が算出される（ステップＳ２）。機能キー８をタッチしていないときは（ステップＳ１でＮＯ）、ステップＳ１に戻る。
【００２０】
吹き出し１０は、図４に示すように、例えば、四角形状の枠部１０ａと、この枠部１０ａの左側から斜め下方に突出する三角形状の引き出し部１０ｂとを備えた吹き出し図形（オートシェイプ）で構成することができる。枠部１０ａの位置、引き出し部１０ｂの先端１０ｃの位置、及び引き出し部１０ｂの基端１０ｄの位置は、算出された吹き出し１０の座標位置情報に基づいて決定される。吹き出し１０の座標位置情報としては、枠部１０ａの左上点ＦＡの座標位置（Ｘ3，Ｙ3）、右下点ＦＢの座標位置（Ｘ4，Ｙ4）、右上点ＦＣの座標位置（Ｘ4，Ｙ3）、左下点ＦＤの座標位置（Ｘ3，Ｙ4）、引き出し部１０ｂの先端１０ｃの座標位置（Ｘ5，Ｙ5）等が挙げられる。
【００２１】
なお、この実施形態では引き出し部１０ｂの先端１０ｃの位置を機能キー８の右下点Ｋ２と右上点Ｋ３の中点｛Ｘ5＝Ｘ2，Ｙ5＝（Ｙ1＋Ｙ2）／２｝としているが、これに限定されるものではなく、機能キー８上又はその近傍の適宜の位置とすることができる。また、吹き出し１０としては、図４のような四角形吹き出しの他、枠部１０ａの角が丸い角丸四角形吹き出し、枠部１０ａが円形状である円形吹き出し、枠部１０ａが雲形である雲形吹き出し等であってもよい。引き出し部１０ｂの形状も三角形状に限定されるものではなく、直線状等であってもよい。更に、吹き出し表示ルールやガイドメッセージテーブル７等を記憶する記憶手段はＲＯＭ３に限定されるものではなく、ＨＤＤ（Hard Disk Drive）、光磁気ディスク（Magneto Optical Disk）ドライブ、ＤＶＤ（Digital Versatile Disk）−ＲＡＭドライブ等であってもよい。
【００２２】
次いで、タッチした機能キー８に基づいてガイドメッセージテーブル７が検索され、対応するガイドメッセージ９が抽出される（ステップＳ３）。抽出されたガイドメッセージ９は図４のように吹き出し１０の枠部１０ａ内に追加され、算出された座標位置情報に基づいて吹き出し１０が機能キー８の近傍に表示される（ステップＳ４）。
【００２３】
そして、機能キー８のタッチを続けているときは（ステップＳ５でＹＥＳ）、ステップＳ５に戻る。機能キー８のタッチを続けていないときは（ステップＳ５でＮＯ）、吹き出し１０の表示が中止される。この場合、タッチしていた機能キー８以外の部分をタッチしていない（機能キー８の部分で画面５ａから指等を離した）ときは（ステップＳ７でＮＯ）、タッチしていた機能キー８が入力され（ステップＳ８）、処理が終了する。機能キー８が入力されれば、ＲＯＭ３等の記憶手段に機能キー８と対応付けて記憶された動作が実行される。タッチしていた機能キー８以外の部分をタッチしている（画面５ａにタッチしたまま指等を機能キー８以外の部分にスライドさせた）ときも（ステップＳ７でＹＥＳ）、処理が終了する。
【００２４】
上記のように構成された表示装置１によれば、機能キー８のタッチを止めるだけで吹き出し１０の表示が中止されるので、吹き出し１０の表示の中止に手間がかからないという利点がある。また、タッチした機能キー８の部分で画面５ａから指等を離せばその機能キー８を入力できるので、機能キー８の入力にも手間がかからないという利点がある。
【００２５】
ここで、吹き出し１０の座標位置情報はあらかじめ機能キー８と対応付けてＲＯＭ３等の記憶手段に記憶しておいてもよいが、この実施形態のように、タッチした機能キー８の座標位置情報及び吹き出し表示ルールに基づいて吹き出し１０の座標位置情報を算出し、この算出された座標位置情報に基づいて吹き出し１０を表示するように構成しておけば、吹き出し表示ルールを書き換えるだけで簡単に吹き出し１０の表示位置やサイズ等を変更できるという利点がある。
【００２６】
また、ガイドメッセージ９はあらかじめ吹き出し１０に追加したアイコンの状態で機能キー８と対応付けてＲＯＭ３等の記憶手段に記憶しておいてもよいが、この実施形態のように、吹き出し１０を表示する際に、タッチした機能キー８に対応するガイドメッセージ９を吹き出し１０に追加するように構成しておけば、ガイドメッセージテーブル７を書き換えるだけで簡単にガイドメッセージ９を変更できるという利点がある。
【産業上の利用可能性】
【００２７】
以上のように、本発明に係る表示装置は、タッチパネルの画面に表示された機能キーの近傍にガイドメッセージを有する吹き出しを表示する場合に有用であり、特に、吹き出しの表示を簡単に中止するのに適している。
【図面の簡単な説明】
【００２８】
【図１】実施形態に係る表示装置の構成例を示すブロック図。
【図２】ガイドメッセージテーブルの一例を示す説明図。
【図３】タッチパネルの画面に機能キーを表示した例を示す説明図。
【図４】機能キーの近傍に吹き出しを表示した例を示す説明図。
【図５】吹き出しの表示処理の手順例を示すフローチャート。
【符号の説明】
【００２９】
１  表示装置
２  ＣＰＵ
３  ＲＯＭ
５  タッチパネル
５ａ  画面
８  機能キー
９  ガイドメッセージ
１０  吹き出し
【図１】
2005258756.tif 000003
【図２】
2005258756.tif 000004
【図３】
2005258756.tif 000005
【図４】
2005258756.tif 000006
【図５】
2005258756.tif 000007